(57)【要約】【課題】    本発明の目的は、収納体の外壁に取り付けられた雄ねじのねじ部を利用して取り付けることができる留め具の取り付け方法を提供するものである。【解決手段】    留め具の取り付け方法は、収納体１の外壁１１に雄ねじ１２の頭部１２Ｔが突出した収納体１であって、雄ねじ１２を緩めて雄ねじ１２のねじ部１２Ｎを露出させ、この露出させたねじ部１２Ｎに留め具Ｔを係止させ、係止後、雄ねじ１２を締め付けて留め具Ｔをねじ部１２Ｎに取り付けるものである。【選択図】図２
2019122508.tif 000002
【特許請求の範囲】
【請求項１】
収納体の外壁に雄ねじの頭部が突出した前記収納体であって、
前記雄ねじを緩めて前記雄ねじのねじ部を露出させ、この露出させた前記ねじ部に留め具を係止させ、係止後、前記雄ねじを締め付けて前記留め具を前記ねじ部に取り付ける
ことを特徴とする留め具の取り付け方法。
【請求項２】
収納体の外壁に雄ねじの頭部が突出した前記収納体であって、
留め部を有した小物体を備え、
前記小物体は、小物を収納、又は、前記小物を引掛けるフックを有するものであり、
前記雄ねじを緩めて前記雄ねじのねじ部を露出させ、この露出させた前記ねじ部に前記留め部を係止させ、係止後、前記雄ねじを締め付けて前記留め部を前記ねじ部に取り付ける
ことを特徴とする小物体の取り付け方法。
【請求項３】
留め具は、
リング部と、
このリング部に接続された円筒体と、
この円筒体に設けられ、雄ねじのねじ部を通し（ネジ部の外径より大きく）、前記雄ねじの頭部を通さない（第１の雄ねじの頭部の大きさより小さい寸法）第１の開口部と、
この第１の開口部に連通すると共に、前記雄ねじの頭部と前記雄ねじのネジ部の受け入れを許容する第１’の開口部とを備え、
前記雄ねじの頭部が当接する座が前記第１の開口部の縁部であり、
前記第１の開口部の端部を前記雄ねじのネジ部に係止させると共に、係止後、前記雄ねじを締め付けて前記雄ねじの頭部の裏面を前記第１の開口部の縁部に当接して前記円筒体の外周を露出させる
ことを特徴とする請求項１記載の留め具の取り付け方法。
【請求項４】
留め部は、小物体に設けられ、
前記留め部は、雄ねじのねじ部を通し（ネジ部の外径より大きく）、前記雄ねじの頭部を通さない（第１の雄ねじの頭部の大きさより小さい寸法）第１の開口部と、
この第１の開口部に連通すると共に、前記雄ねじの頭部と前記雄ねじのネジ部の受け入れを許容する第１’の開口部とを備え、
前記雄ねじの頭部が当接する座が前記第１の開口部の縁部であり、
前記第１の開口部の端部を前記雄ねじのネジ部に係止させると共に、係止後、前記雄ねじを締め付けて前記雄ねじの頭部の裏面を前記第１の開口部の縁部に当接する
ことを特徴とする請求項２記載の小物体の取り付け方法。
【請求項５】
収納体の外壁に雄ねじの頭部が突出した前記収納体に取り付けられる留め具であって、
リング部と、
このリング部に接続された円筒体と、
この円筒体に設けられ、雄ねじのねじ部を通し（ネジ部の外径より大きく）、前記雄ねじの頭部を通さない（第１の雄ねじの頭部の大きさより小さい寸法）第１の開口部と、
この第１の開口部に連通すると共に、前記雄ねじの頭部と前記雄ねじのネジ部の受け入れを許容する第１’の開口部とを備えている
ことを特徴とする留め具。
【請求項６】
収納体の外壁に雄ねじの頭部が突出した前記収納体に取り付けられる小物体であって、
この小物体の背面側に留め部が設けられ、
前記留め部は、前記雄ねじのねじ部を通し（ネジ部の外径より大きく）、前記雄ねじの頭部を通さない（第１の雄ねじの頭部の大きさより小さい寸法）第１の開口部と、
この第１の開口部に連通すると共に、前記雄ねじの頭部と前記雄ねじのネジ部の受け入れを許容する第１’の開口部とを備え、
前記雄ねじの頭部が当接する座が前記第１の開口部の縁部であり、
前記小物体は、小物を収納、又は、前記小物を引掛けるフックを有するものである
ことを特徴とする小物体。 
【請求項７】
収納体の外壁に雄ねじの頭部が突出した前記収納体に取り付けられる小物体であって、
留め部は、第１の留め部と第２の留め部を有し、
前記第１の留め部と前記第２の留め部は、水平方向に直線状に設けられている
ことを特徴とする請求項６記載の小物体。
【請求項８】
留め部は、小物体の表面より低いの凹所内に設けられ、
この凹所は、開閉蓋により開閉される
ことを特徴とする請求項６又は請求項７記載の小物体。
【発明の詳細な説明】
【技術分野】
【０００１】
本発明は、留め具の取り付け方法、小物体の取り付け方法、留め具及び小物体に係り、特に、収納体の外壁に取り付けられた雄ねじのねじ部を利用して取り付けることができる留め具の取り付け方法、小物体の取り付け方法、留め具及び小物体に関する。
【背景技術】
【０００２】
従来、収納体（例えば、カラーボックス）の外壁に、小物収納体を取り付ける場合、収納体（例えば、カラーボックス）の外壁に雄ねじを介して取り付けていた。
【発明の概要】
【発明が解決しようとする課題】
【０００３】
そのため、小物収納体を取り外した際、収納体（例えば、カラーボックス）の外壁に雄ねじの痕跡が残り見栄えが良くないという問題点が生じた。
【０００４】
本発明は、上記の問題点を考慮してなされた留め具の取り付け方法、小物体の取り付け方法、留め具及び小物体を提供することである。
【課題を解決するための手段】
【０００５】
請求項１記載の留め具の取り付け方法は、収納体の外壁に雄ねじの頭部が突出した前記収納体であって、前記雄ねじを緩めて前記雄ねじのねじ部を露出させ、この露出させた前記ねじ部に留め具を係止させ、係止後、前記雄ねじを締め付けて前記留め具を前記ねじ部に取り付けるものである。
【０００６】
また、請求項２記載の小物体の取り付け方法は、収納体の外壁に雄ねじの頭部が突出した前記収納体であって、留め部を有した小物体を備え、前記小物体は、小物を収納、又は、前記小物を引掛けるフックを有するものであり、前記雄ねじを緩めて前記雄ねじのねじ部を露出させ、この露出させた前記ねじ部に前記留め部を係止させ、係止後、前記雄ねじを締め付けて前記留め部を前記ねじ部に取り付けるものである。
【０００７】
また、請求項３記載の留め具の取り付け方法は、請求項１記載の留め具の取り付け方法において、留め具は、リング部と、このリング部に接続された円筒体と、この円筒体に設けられ、雄ねじのねじ部を通し、前記雄ねじの頭部を通さない第１の開口部と、この第１の開口部に連通すると共に、前記雄ねじの頭部と前記雄ねじのネジ部の受け入れを許容する第１’の開口部とを備え、前記雄ねじの頭部が当接する座が前記第１の開口部の縁部であり、前記第１の開口部の端部を前記雄ねじのネジ部に係止させると共に、係止後、前記雄ねじを締め付けて前記雄ねじの頭部の裏面を前記第１の開口部の縁部に当接して前記円筒体の外周を露出させるものである。
【０００８】
また、請求項４記載の小物体の取り付け方法は、請求項２記載の小物体の取り付け方法において、留め部は、小物体に設けられ、前記留め部は、雄ねじのねじ部を通し（ネジ部の外径より大きく）、前記雄ねじの頭部を通さない（第１の雄ねじの頭部の大きさより小さい寸法）第１の開口部と、この第１の開口部に連通すると共に、前記雄ねじの頭部と前記雄ねじのネジ部の受け入れを許容する第１’の開口部とを備え、前記雄ねじの頭部が当接する座が前記第１の開口部の縁部であり、前記第１の開口部の端部を前記雄ねじのネジ部に係止させると共に、係止後、前記雄ねじを締め付けて前記雄ねじの頭部の裏面を前記第１の開口部の縁部に当接するものである。
【０００９】
また、請求項５記載の留め具は、収納体の外壁に雄ねじの頭部が突出した前記収納体に取り付けられる留め具であって、リング部と、このリング部に接続された円筒体と、この円筒体に設けられ、雄ねじのねじ部を通し（ネジ部の外径より大きく）、前記雄ねじの頭部を通さない（第１の雄ねじの頭部の大きさより小さい寸法）第１の開口部と、この第１の開口部に連通すると共に、前記雄ねじの頭部と前記雄ねじのネジ部の受け入れを許容する第１’の開口部とを備えているものである。
【００１０】
また、請求項６記載の小物体は、収納体の外壁に雄ねじの頭部が突出した前記収納体に取り付けられる小物体であって、この小物体の背面側に留め部が設けられ、前記留め部は、前記雄ねじのねじ部を通し、前記雄ねじの頭部を通さない第１の開口部と、この第１の開口部に連通すると共に、前記雄ねじの頭部と前記雄ねじのネジ部の受け入れを許容する第１’の開口部とを備え、 前記雄ねじの頭部が当接する座が前記第１の開口部の縁部であり、前記小物体は、小物を収納、又は、前記小物を引掛けるフックを有するものである。
【００１１】
また、請求項７記載の小物体は、請求項６記載の小物体において、収納体の外壁に雄ねじの頭部が突出した前記収納体に取り付けられる小物体であって、留め部は、第１の留め部と第２の留め部を有し、前記第１の留め部と前記第２の留め部は、水平方向に直線状に設けられているものである。
【００１２】
また、請求項８記載の小物体は、請求項６又は請求項７記載の小物体において、留め部は、小物体の表面より低いの凹所内に設けられ、この凹所は、開閉蓋により開閉されるものである。
【発明の効果】
【００１３】
請求項１記載の留め具の取り付け方法によれば、収納体の外壁に雄ねじの頭部が突出した前記収納体であって、雄ねじを緩めて前記雄ねじのねじ部を露出させ、この露出させた前記ねじ部に留め具を係止させ、係止後、前記雄ねじを締め付けて前記留め具を前記ねじ部に取り付けるため、収納体の外壁を傷つけることなく、留め具を収納体の外壁に取り付けられた雄ねじのねじ部を利用して取り付けることができる。
【００１４】
また、請求項２記載の小物体の取り付け方法によれば、収納体の外壁に雄ねじの頭部が突出した前記収納体であって、留め部を有した小物体を備え、前記小物体は、小物を収納、又は、前記小物を引掛けるフックを有するものであり、前記雄ねじを緩めて前記雄ねじのねじ部を露出させ、この露出させた前記ねじ部に前記留め部を係止させ、係止後、前記雄ねじを締め付けて前記留め部を前記ねじ部に取り付けるため、収納体の外壁を傷つけることなく、小物体を収納体の外壁に取り付けられた雄ねじのねじ部を利用して取り付けることができる。
【００１５】
また、請求項３記載の留め具の取り付け方法によれば、上述した請求項１記載の発明の効果に加え、第１の開口部の端部を雄ねじのネジ部に係止させると共に、係止後、雄ねじを締め付けて雄ねじの頭部の裏面を前記第１の開口部の縁部に当接して前記円筒体の外周を露出させるため、円筒体の外周を被係止部として利用することができる。
【００１６】
また、請求項４記載の小物体の取り付け方法によれば、上述した請求項２記載の発明の効果に加え、第１の開口部の端部を雄ねじのネジ部に係止させると共に、係止後、雄ねじを締め付けて雄ねじの頭部の裏面を前記第１の開口部の縁部に当接して前記円筒体の外周を露出させるため、円筒体の外周を被係止部として利用することができる。
【００１７】
また、請求項５記載の留め具によれば、収納体の外壁を傷つけることなく、留め具を収納体の外壁に取り付けられた雄ねじのねじ部を利用して取り付けることができる。
例えば、カラーボックスの棚を留める雄ねじを取り外さなくて、単に、前記雄ねじを緩めて、前記雄ねじに第１’の開口部を介して留め具を取り付け、前記雄ねじを締め付ければ、第１の開口部の縁部を介して留め具を強固に取り付けて、留め具の側壁部の外周を被係止部として利用することができる。
なお、被係止部に、例えば、小物等を収納する小物体の留め具を係止させたり、小物等を引掛けるフックを取り付けたフック取付体の係止部を係止させたりすることができる。
【００１８】
また、請求項６記載の小物体によれば、収納体の外壁を傷つけることなく、小物体を収納体の外壁に取り付けられた雄ねじのねじ部を利用して取り付けることができる。
【００１９】
また、請求項７記載の小物体によれば、上述した請求項６記載の発明の効果に加え、留め部は、第１の留め部と第２の留め部を有しているため、小物体の重量を第１の留め部と第２の留め部で支えることができる。
【００２０】
また、請求項８記載の小物体によれば、上述した請求項６又は請求項７記載の発明の効果に加え、開閉蓋により留め部を覆うため、外観を損なうことを防ぐことができる。
【図面の簡単な説明】
【００２１】
【図１】図１は、本発明の一実施例の留め具に小物体（小物体は、小物を収納、又は、小物を引掛けるフックを有するものである。）が係止した状態を示す概略的斜視図である。
【図２】図２（ａ）は、留め具に小物体が係止する前の状態の概略的斜視図であり、図２（ｂ）は、図２（ａ）の一部を拡大して示す概略的一部拡大斜視図である。
【図３】図３（ａ）は、図２（ａ）の留め具が雄ねじのねじ部に係止する前の状態の概略的断面図であり、図３（ｂ）は、留め具に小物体が係止した状態の概略的断面図である。
【図４】図４は、図２（ｂ）の留め具の使用例の正面の写真である。
【図５】図５は、図４の背面の写真である。
【図６】図６は、図４の平面の写真である。
【図７】図７は、図４の留め具と雄ネジとの関係を示す写真である。
【図８】図８（ａ）は、図２（ｂ）のねじ部に留め具を係止させた状態の概略的図であり、図８（ｂ）は、図８（ａ）のねじ部と異なるねじ部に留め具を係止させた状態の概略的図であり、図８（ｃ）は、図８（ｂ）の留め具と異なる留め具に図８（ｂ）のねじ部を係止させた状態の概略的図である。
【図９】図９は、図１と異なる他の実施例を示すもので、図９（ａ）は、小物体の裏面側に取り付けられた図１の留め具に雄ねじのねじ部が係止する前の状態の概略的斜視図であり、図９（ｂ）は、図９（ａ）の留め具に雄ねじのねじ部が係止した状態の概略的斜視図である。
【図１０】図１０（ａ）は、図９（ａ）の概略的断面図であり、図１０（ｂ）は、図９（ｂ）の概略的断面図である。
【図１１】図１１は、図９と異なる他の実施例を示すもので、小物体が係止した状態を示す概略的斜視図である。
【図１２】図１２は、図１１の留め具の取り付け状態を示すもので、図１２（ａ）は、雄ねじのねじ部を緩め、留め具を取り付け前の状態を示す概略的斜視図であり、図１２（ｂ）は、雄ねじのねじ部に留め具を係止した状態を示す概略的斜視図であり、図１２（ｃ）は、雄ねじのねじ部を締め付け固定し、留め具に小物体を係止する前の状態を示す概略的斜視図である。
【図１３】図１３（ａ）は、図１３（ａ）に、図１３（ｂ）は、図１２（ｂ）に、図１３（ｃ）は、図１２（ｃ）に、それぞれ略対応する概略的断面図である。
【図１４】図１４は、図１１と異なる他の実施例を示すもので、図１４（ａ）は、小物体に雄ねじのねじ部が係止する前の状態の概略的斜視図であり、図１４（ｂ）は、小物体に雄ねじのねじ部が係止した状態の概略的斜視図である。
【図１５】図１５（ａ）は図１４（ａ）に、図１５（ｂ）は図１４（ｂ）に、それぞれ略対応する概略的断面図である。
【図１６】図１６は、図１４と異なる他の実施例を示すもので、図１６（ａ）は、小物体に雄ねじのねじ部が係止する前の状態の概略的斜視図であり、図１６（ｂ）は、第１’の開口部に第１の雄ねじの頭部と前記第１の雄ねじのネジ部が受け入れられた状態の概略的斜視図であり、図１６（ｃ）は、小物体に雄ねじのねじ部が係止した状態の概略的斜視図である。
【図１７】図１７（ａ）は、雄ねじのねじ部が第１’の開口部に受け入れる前の状態の概略的正面図であり、図１７（ｂ）は、雄ねじのねじ部が第１’の開口部、第１の開口部に受け入れられた状態の概略的正面図であり、図１７（ｃ）は、小物体に雄ねじが係止した状態の概略的正面図であり、図１７（ｄ）は、図１７（ａ）のＡ’方向から見た概略的図であり、図１７（ｅ）は、図１７（ｂ）のＢ−Ｂ線による概略的断面図であり、図１７（ｆ）は、図１７（ｃ）のＣ−Ｃ線による概略的断面図である。
【図１８】図１８は、図１６の第１の凹所に第１の開閉蓋、第２の凹所に第２の開閉蓋を設けた小物体の概略的図である。
【図１９】図１９は、図１８の第１の開閉蓋、第２の開閉蓋を閉じた状態の概略的図である。
【発明を実施するための形態】
【００２２】
本発明の一実施例の留め具の取り付け方法、小物体の取り付け方法、留め具及び小物体を図１乃至図１９を参照して説明する。
【００２３】
実施例１（図１乃至図８）
図１に示す１は収納体で、収納体１は、例えば、カラーボックス（収納箱）である。
収納体１は、外壁１１に雄ねじ１２の頭部１２Ｔが突出している。雄ねじ１２は、図１に示すように、収納体１の棚（又は天板）１３を留めるものである。
留め具Ｔを収納体１に取り付ける留め具Ｔの取り付け方法は、図２（ａ）及び図３（ａ）に示すように、雄ねじ１２を緩めて雄ねじ１２のねじ部１２Ｎを露出させ、この露出させたねじ部１２Ｎに留め具Ｔを係止させ、係止後、雄ねじ１２を締め付けて留め具Ｔをねじ部１２Ｎに取り付けることができる［図３（ｂ）］。
【００２４】
上述した留め具Ｔの取り付け方法によれば、収納体１の外壁１１を傷つけることなく、留め具Ｔを収納体１の外壁１１に取り付けられた雄ねじ１２のねじ部１２Ｎを利用して取り付けることができる。
【００２５】
なお、上述した留め具Ｔは、図２（ｂ）、図３（ａ）、図４乃至図７に示すように、リング部Ｔ１と、このリング部Ｔ１に接続された円筒体Ｔ２と、この円筒体Ｔ２に設けられ、雄ねじ１２のねじ部１２Ｎを通し（ネジ部１２Ｎの外径より大きく）、雄ねじ１２の頭部１２Ｔを通さない（第１の雄ねじ１２の頭部１２Ｔの大きさより小さい寸法）第１の開口部Ｔ３と、円筒体Ｔ２に設けられ、第１の開口部Ｔ３に連通すると共に、雄ねじ１２の頭部１２Ｔと雄ねじ１２のネジ部１２Ｎの受け入れを許容する第１’の開口部Ｔ４とを備えている。
そして、雄ねじ１２の頭部１２Ｔが当接する座Ｚが第１の開口部Ｔ３の縁部であり、第１の開口部Ｔ３の端部Ｔ５を雄ねじ１２のネジ部１２Ｎに係止させると共に、係止後、雄ねじ１２を締め付けて雄ねじ１２の頭部１２Ｔの裏面を第１の開口部Ｔ３の縁部に当接して円筒体Ｔ２の外周を露出させる。その結果、円筒体Ｔ２の外周を被係止部Ｈ１として利用することができる。
【００２６】
図８（ａ）は、図２（ｂ）のねじ部１２Ｎに留め具Ｔを係止させた状態の概略的図であり、図８（ｂ）は、図８（ａ）のねじ部１２Ｎと異なるねじ部１２Ｎに留め具Ｔを係止させた状態の概略的図であり、図８（ｃ）は、図８（ｂ）の留め具Ｔと異なる留め具Ｔに図８（ｂ）のねじ部１２Ｎを係止させた状態の概略的図である。
【００２７】
なお、被係止部Ｈ１には、例えば、小物収納体１０の係止部１０Ｋが係止するようになっている［図１、図２（ａ）、図３（ｂ）参照］。本願発明に言う小物体は、例えば、図１、９、１４に示す小物を収納する小物体（小物収納体）１０、１０’、１０”’、図１１に示す小物を引っ掛けるフックを有する小物体（小物収納体）１０”を包含するものである。
【００２８】
実施例２（図９及び図１０）
上述した図１乃至図８記載の実施例においては、留め具Ｔを雄ねじ１２のねじ部１２Ｎに係止した後、小物を収納する小物体（小物収納体）１０を留め具Ｔに係止させたが、本願発明にあっては、これに限らず、図９及び図１０に示すように、小物を収納する小物体（小物収納体）１０’の裏面側に取り付けた留め具Ｔを雄ねじ１２のねじ部１２Ｎに係止するようにしても良い。
なお、小物体１０’は、図９に示す小物を収納するものに限らず、図１、１４に示す小物を収納する小物体（小物収納体）１０、１０”’、又は、図１１に示す小物を引掛けるフックを有する小物体（小物収納体）１０”であり、小物体（小物収納体）１０’の裏面側に留め具Ｔを取り付けた状態は、留め部（雄ねじ１２のねじ部１２Ｎに係止する係止部）を有した小物体（小物収納体）１０’でもある。
上述した留め具Ｔは、小物収納体１０’の裏面側に取り付けられているため、収納体１の外壁を傷つけることなく、小物体１０’を収納体の外壁に取り付けられた雄ねじのねじ部を利用して取り付けることができる。
即ち、図９（ａ）及び図１０（ａ）に示すように、雄ねじ１２を緩めて雄ねじ１２のねじ部１２Ｎを露出させ、この露出させたねじ部１２Ｎに留め具Ｔを係止させ、係止後、雄ねじ１２を締め付けて小物体１０’の裏面側に取り付けた留め具Ｔをねじ部１２Ｎに取り付けることができる［図９（ｂ）及び図１０（ｂ）］。
実施例２においては、実施例１と同一部分に同一符号を付してその説明を省略する。
【００２９】
実施例３（図１１乃至図１３）
次に示す実施例の留め具Ｔ’（図１１乃至図１３）は、上述した図１乃至図１０記載の実施例の留め具Ｔとは異なるものである。
即ち、留め具［留め部（雄ねじ１２のねじ部１２Ｎに係止する係止部）］Ｔ’は、留め具本体Ｔ’１と、この留め具本体Ｔ’１に設けられ、雄ねじ１２の頭部１２Ｔを通す頭部開口部Ｔ’２と、留め具本体Ｔ’１に設けられ、頭部開口部Ｔ’２に連通し、雄ねじ１２のねじ部１２Ｎを通し、雄ねじ１２の頭部１２Ｔを通さないと共に１２の頭部１２Ｔの裏面に当接する頭部開口縁部Ｔ’３とを備えている。
留め具Ｔ’を雄ねじ１２に係止するには、留め具Ｔ’の頭部開口部Ｔ’２より雄ねじ１２の頭部１２Ｔを通し［図１３（ａ）参照］、その後、 留め具Ｔ’を移動させて、雄ねじ１２の頭部１２Ｔを頭部開口縁部Ｔ’３の位置に位置させ［図１３（ｂ）参照］、移動後、雄ねじ１２を締め付けて留め具Ｔ’をねじ部１２Ｎに取り付けると共に、留め具本体Ｔ’１の上縁部Ｔ’４を露出させるようにする。そして、Ｔ’３は、水平方向に直線状に複数、例えば、２個設けられている。
その結果、上縁部Ｔ’４を被係止部Ｈ２として利用することができる。
なお、被係止部Ｈ２には、例えば、小物等を引掛けるフックを取り付けた小物体１０”の係止部１０’Ｋが係止するようになっている［図１３（ｃ）参照］。
実施例３においては、実施例１、実施例２と同一部分に同一符号を付してその説明を省略する。
【００３０】
実施例４（図１４及び図１５）
上述した図１１乃至図１３記載の実施例においては、留め具Ｔ’を雄ねじ１２のねじ部１２Ｎに係止した後、小物体１０”を留め具Ｔ’に係止させたが、本願発明にあっては、これに限らず、図１４及び図１５に示すように、小物体１０”’の裏面側に設けた頭部開口縁部１０２を雄ねじ１２のねじ部１２Ｎに係止するようにしても良い。
即ち、図１４及び図１５に示す１０”’は、収納体１の外壁１１に雄ねじ１２の頭部１２Ｔが突出した収納体１に取り付けられる小物体である。
本願発明に言う小物体は、図９及び図１０に示す小物を収納する小物体１０’に限らず、図１１乃至図１３に示す小物を引掛けるフックを有する小物体１０”をも包含するものである。
小物体１０”’は、小物体１０”’の背面側に雄ねじ１２の頭部１２Ｔを通す頭部開口部１０１が設けられ、この頭部開口部１０１に連通し、雄ねじ１２のねじ部１２Ｎを通し、雄ねじ１２の頭部１２Ｔを通さないと共に雄ねじ１２の頭部１２Ｔの裏面に当接する頭部開口縁部１０２を備えている。そして、頭部開口縁部１０２は、水平方向に直線状に複数、例えば、２個設けられている。
実施例４においては、実施例１、実施例２、実施例３と同一部分に同一符号を付してその説明を省略する。
【００３１】
上述した図１４及び図１５に示す小物体１０”’によれば、収納体１の外壁１１を傷つけることなく、小物体１０”’を収納体１の外壁１１に取り付けられた雄ねじ１２のねじ部１２Ｎを利用して取り付けることができる。
例えば、収納体１の棚１３を留める雄ねじ１２を取り外さなくて、単に、雄ねじ１２を緩めて、雄ねじ１２に小物体１０”’の頭部開口部１０１を介して小物体１０”’を取り付け、雄ねじ１２が頭部開口縁部１０２に位置するように小物体１０”’を移動して、雄ねじ１２を締め付ければ、頭部開口縁部１０２を介して小物体１０”’を強固に取り付けることができる。
【００３２】
なお、小物体の取り付け方法は、上述した留め具の取り付け方法と同様に、雄ねじ１２を緩めて雄ねじ１２のねじ部１２Ｎを露出させ［図１０（ａ）、図１４（ａ）］、この露出させたねじ部１２Ｎに小物体１０’，１０”’の係止部（例えば、図１５（ａ）のＴ５）を係止させ、係止後、雄ねじ１２を締め付けて小物体１０’，１０”’をねじ部１２Ｎに取り付けるものであり、小物体１０’は、小物を収納する小物体［図９（ａ）、図９（ｂ）］、又は、小物を引掛けるフックを有する小物体［図１４（ａ）、図１５（ｂ）］である。
この図９（ａ）、図９（ｂ）、図１４（ａ）、図１５（ｂ）記載の小物体の取り付け方法によれば、収納体１の外壁１１に雄ねじ１２の頭部１２Ｔが突出した収納体１であって、雄ねじ１２を緩めて雄ねじ１２のねじ部１２Ｎを露出させ、この露出させたねじ部１２に小物体１０’，１０”’の係止部（例えば、図１５（ａ）のＴ５）を係止させ、係止後、雄ねじ１２を締め付けて小物体をねじ部１２Ｎに取り付けるため、収納体１の外壁を傷つけることなく、小物体１０’，１０”’を収納体１の外壁１１に取り付けられた雄ねじ１２のねじ部１２Ｎを利用して取り付けることができる。
【００３３】
実施例５（図１６及び図１７）
次に、図１６及び図１７を参照して、小物体１０””の取り付け方法を以下説明する。
収納体１は、上述の実施例と同様に、外壁１１に雄ねじ１２、１２’の頭部１２Ｔ、１２Ｔ’が突出している。小物体１０””は、留め部（雄ねじ１２、１２’のねじ部１２Ｎ、１２Ｎ’に係止する係止部）Ｔ（Ｔ１、Ｔ２）を有している。なお、小物体１０””は、小物を収納、又は、小物を引掛けるフックを有する、例えば、図１１記載の小物体１０”でも良い。そして、図１６（ａ）に示すように、雄ねじ１２、１２’を緩めて雄ねじ１２、１２’のねじ部１２Ｎ、１２Ｎ’を露出させ、この露出させたねじ部１２Ｎ、１２Ｎ’に留め部Ｔ（Ｔ１、Ｔ２）を係止させ、係止後、雄ねじ１２、１２’を締め付けて留め部Ｔ（Ｔ１、Ｔ２）をねじ部１２Ｎ、１２Ｎ’に取り付けることができる。
【００３４】
また、上述した小物体の取り付け方法においては、上述した実施例と同様に、収納体１の外壁１１を傷つけることなく、小物体１０””を収納体１の外壁１１に取り付けられた雄ねじ１２、１２’のねじ部１２Ｎ、１２Ｎ’を利用して取り付けることができる。
【００３５】
上述した留め部Ｔは、例えば、小物体に設けられた第１の留め部Ｔ１と第２の留め部Ｔ２を有し、第１の留め部Ｔ１と第２の留め部Ｔ２は、水平方向に直線状に設けられている。
第１の留め部Ｔ１は、雄ねじ１２のねじ部１２Ｎを通し（ネジ部１２Ｎの外径より大きく）、雄ねじ１２の頭部１２Ｔを通さない（第１の雄ねじ１２の頭部１２Ｔの大きさより小さい寸法）第１の開口部Ｏ１と、この第１の開口部Ｏ１に連通すると共に、雄ねじ１２の頭部１２Ｔと雄ねじ１２のネジ部１２Ｎの受け入れを許容する第１’の開口部  Ｏ１’とが設けられている。第１の開口部  Ｏ１の縁部には、第１の雄ねじ１２の頭部１２Ｔが当接する平行な第１、第１’の座Ｚ１、Ｚ１’が設けられている。
［第１の留め部Ｔ１は、図１７（ａ）に示すように、第１の左半円部、第１の右半円部、第１の直線部、第１’の直線部を有する第１のレーストラック形状部で、前記第１の左半円部の一方の端部は前記第１の直線部の左端部に接続され、前記第１の右半円部の一方の端部は前記第１の直線部の右端部に接続され、前記第１の左半円部の他方の端部は第１’の開口部（図１７（ａ）図示の Ｏ１’、 Ｏ１’内の左に位置するＯ１’）を介して前記第１’の直線部の左端部に臨み、前記第１の右半円部の他方の端部は第１’の開口部 （図１７（ａ）図示の Ｏ１’、 Ｏ１’内の右に位置するＯ１’）を介して前記第１’の直線部の右端部に臨み、前記第１のレーストラック形状部の内周縁部で囲まれた部位は、第１の雄ねじ１２のネジ部１２Ｎの外径より大きく、前記第１の雄ねじ１２の頭部１２Ｔの大きさより小さい寸法の第１の内周縁開口部であり、前記第１の留め部Ｔ１には、前記第１の開口部Ｏ１に連通し、第１の雄ねじ１２の頭部１２Ｔの受け入れを許容する第１の頭部受け入れ開口部（第１’の開口部 Ｏ１’）が設けられている。］
【００３６】
第２の留め部Ｔ２は、第１の留め部Ｔ１と同様に、雄ねじ１２’のねじ部１２Ｎ’を通し（ネジ部１２Ｎ’の外径より大きく）、雄ねじ１２’の頭部１２Ｔ’を通さない（第２の雄ねじ１２’の頭部１２Ｔ’の大きさより小さい寸法）第２の開口部Ｏ２と、この第２の開口部Ｏ２に連通すると共に、雄ねじ１２’の頭部１２Ｔ’と雄ねじ１２’のネジ部１２Ｎ’の受け入れを許容する第２’の開口部  Ｏ２’とが設けられている。第２の開口部Ｏ２の縁部には、第２の雄ねじ１２’の頭部１２Ｔ’が当接する平行な第２、第２’の座Ｚ２、Ｚ２’が設けられている。
［第２の留め部Ｔ２は、第１の留め部Ｔ１と同様に、図１７（ａ）に示すように、第２の左半円部、第２の右半円部、第２の直線部、第２’の直線部を有する第２のレーストラック形状部で、前記第２の左半円部の一方の端部は前記第２の直線部の左端部に接続され、前記第２の右半円部の一方の端部は前記第２の直線部の右端部に接続され、前記第２の左半円部の他方の端部は第２’の開口部（図１７（ａ）図示の Ｏ２’、 Ｏ２’内の左に位置するＯ２’）を介して前記第２’の直線部の左端部に臨み、前記第２の右半円部の他方の端部は第２’の開口部 （図１７（ａ）図示の Ｏ２’、 Ｏ２’内の右に位置するＯ２’）を介して前記第２’の直線部の右端部に臨み、前記第２のレーストラック形状部の内周縁部で囲まれた部位は、第２の雄ねじ１２’のネジ部１２Ｎ’の外径より大きく、前記第２の雄ねじ１２’の頭部１２Ｔ’の大きさより小さい寸法の第２の内周縁開口部であり、前記第２の留め部Ｔ２には、前記第２の開口部Ｏ２に連通し、第２の雄ねじ１２’の頭部１２Ｔ’の受け入れを許容する第２の頭部受け入れ開口部（第２’の開口部 Ｏ２’）が設けられている。］
そのため、第１、第２の雄ねじ１２、１２’の間隔に対応できると共に、小物体１０””を強固に保持することができる。なお、図１６においては、留め部ＴをＴ１、Ｔ２と２個設けているが、留め部Ｔは、１個でも良い。
実施例５においては、実施例１、実施例２、実施例３、実施例４と同一部分に同一符号を付してその説明を省略する。
【００３７】
実施例６（図１８及び図１９）
図１８及び図１９に示す小物体１０””には、図１６及び図１７にない開閉蓋Ｆ（Ｆ１、Ｆ２）が設けられている。なお、図１８及び図１９においては、図１６及び図１７記載の留め部Ｔ（Ｔ１、Ｔ２）は、小物体１０””の表面Ｙより低い凹所内に設けられ、この凹所は、開閉蓋Ｆ（Ｆ１、Ｆ２）により開閉されるようになっている。開閉蓋Ｆ（Ｆ１、Ｆ２）により留め部Ｔ（Ｔ１、Ｔ２）を覆うため、外観を損なうことを防ぐことができる。
なお、Ａは、材料を軽減するための小物体１０””に設けられた空所である。
実施例６においては、実施例１、実施例２、実施例３、実施例４、実施例５と同一部分に同一符号を付してその説明を省略する。
【符号の説明】
【００３８】
１      収納体
１１    外壁
１２    雄ねじ
１２Ｔ  頭部
１２Ｎ  ねじ部
Ｔ      留め具
【図１】
2019122508.tif 000003
【図２】
2019122508.tif 000004
【図３】
2019122508.tif 000005
【図４】
2019122508.tif 000006
【図５】
2019122508.tif 000007
【図６】
2019122508.tif 000008
【図７】
2019122508.tif 000009
【図８】
2019122508.tif 000010
【図９】
2019122508.tif 000011
【図１０】
2019122508.tif 000012
【図１１】
2019122508.tif 000013
【図１２】
2019122508.tif 000014
【図１３】
2019122508.tif 000015
【図１４】
2019122508.tif 000016
【図１５】
2019122508.tif 000017
【図１６】
2019122508.tif 000018
【図１７】
2019122508.tif 000019
【図１８】
2019122508.tif 000020
【図１９】
2019122508.tif 000021